(57)【要約】【課題】  構造が簡素化され、且つ情報の送受信が単純化される。【解決手段】  情報をカード読取装置に対し入出力させる情報入出力インターフェース１１と、情報の入出力を制御及び管理する管理システム１３と、メモリ装置が接続でき、前記のメモリ装置に対する情報の入出力のことに対しアクセス・コントロールを実行する情報読取装置１５と、前記の情報の前記のメモリ装置に対する入出力の場合に情報をアクセスする経路を提供する情報シェア・コントロール装置１９と、を備える。【選択図】  図２
2006040187.tif 000002
【特許請求の範囲】
【請求項１】
カード読取装置に対する情報の入出力を通過させるための情報入出力インターフェースと、
前記の情報の入出力を制御及び管理するための管理システムと、
少なくとも一種のメモリ装置を接続でき、そのメモリ装置に対し情報のアクセス・コントロールを進めることができるようにした、少なくとも一つの情報読取装置と、
情報が前記のメモリ装置より進出する場合に、情報のアクセス経路を提供する少なくとも一つの情報シェア・コンロール装置と、
を少なくとも備えており、
その中では、情報の入出力インターフェースとコンピュータ・システムとが接続される場合に、且つメモリ装置と情報読取装置と情報シェア・コントロール装置とがリンクされる場合に、前記の管理システムと前記のコンピュータ・システムとが相互に合作してメモリ装置を経過する情報を検出及びコントロールし、前記の入出力される情報が前記の情報シェア・コントロール装置の提供する経路を介して入出力を実行するようにしたことを特徴とする、
カード読取装置構造。
【請求項２】
前記の情報入出力インターフェースとしてＵＳＢや１３９４やＲＳ２３２やＣＯＭポートやパラレル・ポートやＰＳ２やＰＣＭＣＩＡや８０２．１１シリーズやブルー・ツースや赤外線などのそれぞれの好適な手段のいずれ一種を好適に採用することを特徴とする、
請求項１に記載のカード読取装置構造。
【請求項３】
前記の管理システムにおいては、さらに、少なくとも一つのコントロール・ユニットと、少なくとも一つのメモリ装置と、少なくとも一つのプロセッサーとを有することを特徴とする、
請求項１に記載のカード読取装置構造。
【請求項４】
前記の情報読取装置として、メモリ・カード・インサート・スロットのようなメモリ・カード・アクセス装置を好適に使用するとともに、シンプルなコントロール・サーキットを介して前記のメモリ装置と、コントロール・コマンドのコミュニケーションを実行することを特徴とする、
請求項１に記載のカード読取装置構造。
【請求項５】
前記のメモリ・カード・インサート・スロットとして複数種仕様共用のメモリ・カード・インサート・スロットまたは複数個のメモリ・カード・インサート・スロット同士を好適に使用することを特徴とする、
請求項４に記載のカード読取装置構造。
【請求項６】
前記のメモリ装置として、コンパクト・フラッシュ・カードや、ＩＢＭマイクロ・ドライブや、スマート・メディア（登録商標）・カードや、ｘＤ−ピクチャー・カードや、マルチメディア・カードや、内密デジタル・カードや、メモリ・スチック・カードや、メモリ・スチック・プロ・カードなどのいずれ一種を好適に使用することを特徴とする、
請求項１に記載のカード読取装置構造。
【請求項７】
前記の情報シェア・コントロール装置は、簡易な情報送受信サーキットを介して前記のメモリ装置と情報の送受信を実行するようにしたことを特徴とする、
請求項１に記載のカード読取装置構造。
【請求項８】
前記のコンピュータ・システムとしてパーソナル・コンピュータやデータ・ストーリッジ・デバイスなどのいずれ一種を好適に使用することを特徴とする、
請求項１に記載のカード読取装置構造。
【請求項９】
スタートするステップ１と、
カード読取装置を初期化するステップ２と、
カード読取装置とメモリ装置とをリンクするステップ３と、
前記のメモリ装置を判読するとともに、それぞれ情報のメモリ装置に対する進出のことのコントロールと、情報のメモリ装置に対する進出の唯一の送受信行動を実行するステップ４と、
エンドするステップ５と、
からなることを特徴とする、
カード読取装置の情報の送受信方法。
【請求項１０】
前記のステップ２においては、
前記のカード読取装置において、情報入出力インターフェースとコンピュータ・システムとをリンクするステップ２１と、
前記のコンピュータ・システムと前記のカード読取装置内の管理システムと共同でオペレーティングさせ、前記のカード読取装置内の情報読取装置には少なくとも一つのメモリ装置を有するかのことを検出し、それが存在することを検出した場合では、ステップ３へ進み、そうでないと、ステップ２１にスキップするステップ２２と、
をさらに有することを特徴とする、
請求項９に記載のカード読取装置の情報の送受信方法。
【請求項１１】
前記のステップ３においては、
前記のメモリ装置をカード読取装置内の情報読取装置とそのカード読取装置内の他の情報シェア・コントロール装置とリンクするステップ３１をさらに有することを特徴とする、
請求項９に記載のカード読取装置の情報の送受信方法。
【請求項１２】
前記のステップ４には、
コンピュータ・システムとカード読取装置内のある管理システムと共同で作業し、情報読取装置と前記のメモリ装置とを接続するコントロール・サーキットと、情報シェア・コントロール装置とメモリ装置とを接続する情報送受信サーキットを介して、メモリ装置がどのような形式のメモリ装置であるかのことを判断することによって、情報の送受信を実行するステップ４１と、
情報がメモリ装置に対し進出し始め、且つコントロール・サーキットにコントロールされ、且つ情報送受信サーキットによって前記の情報シェア・コントロール装置を通って唯一の情報送受信経路を形成するステップ４２と、
を有することを特徴とする、
請求項９に記載のカード読取装置の情報の送受信方法。
【請求項１３】
前記の情報の入出力インターフェースとしてＵＳＢや１３９４やＲＳ２３２やＣＯＭポートやパラレル・ポートやＰＳ２やＰＣＭＣＩＡや８０２．１１シリーズやブルー・ツースや赤外線などのいずれ一種の手段を好適に採用することを特徴とする、
請求項１０に記載のカード読取装置の情報の送受信方法。
【請求項１４】
前記の管理システムにはさらに少なくとも一つのコントロール・ユニットと、少なくとも一つのメモリ・ユニットと、少なくとも一つのプロセッサーとを有することを特徴とする、
請求項１０に記載のカード読取装置の情報の送受信方法。
【請求項１５】
前記のカード読取装置としてメモリ・カード・インサート・スロットのようなメモリ・カード・アクセス装置を好適に使用することを特徴とする、
請求項１０に記載のカード読取装置の情報の送受信方法。
【請求項１６】
前記のメモリ・カード・インサート・スロットとして複数の仕様共用可能なメモリ・カード・インサート・スロットまたは複数個のメモリ・カード・インサート・スロットとを好適に使用することを特徴とする、
請求項１５に記載のカード読取装置の情報の送受信方法。
【請求項１７】
前記のメモリ装置として、コンパクト・フラッシュ・カードや、ＩＢＭマイクロ・ドライブや、スマート・メディア・カードや、ｘＤ−ピクチャー・カードや、マルチメディア・カードや、内密デジタル・カードや、メモリ・スチック・カードや、メモリ・スチック・プロ・カードなどのいずれ一種を好適に使用することを特徴とする、
請求項１０に記載のカード読取装置の情報の送受信方法。
【請求項１８】
前記のコンピュータ・システムとしてパーソナル・コンピュータやデータ・ストーリッジ・デバイスなどのいずれ一種を好適に使用することを特徴とする、
請求項１０に記載のカード読取装置の情報の送受信方法。
【発明の詳細な説明】
【技術分野】
【０００１】
本発明は、カード読取装置構造及びカード読取装置の情報の送受信方法に係わり、特に、整合されると構造が簡素化されたカード読取装置構造及びカード読取装置の情報の送受信方法に関するものである。
【背景技術】
【０００２】
現今のマーケットにおいては、流行っているカード読取装置には、内部接続式カード読取装置と外部接続式カード読取装置というものがある。しかしながら、内部接続式のものや外部接続式のものなどを問わず、その構造の簡素化のこととその体積仕様の小型化のことがかなり大切な設計のポイントとなっている。構造の簡素化のことと仕様の小型化のこととは、消費者がそれらの装置をパソコンに取りつける場合に、または、ポータブル・コンピュータに対し携帯使用する場合に、すべて大切的な要点となっており、他方では、その仕様を縮小すると、その製造コストを降下させることもできる。そのため、両方面がすべて優れる点を有する状況下で、カード読取装置の構造と体積を軽薄短小の趨勢へ向けさせることは、ますます明らかになってゆく未来の趨勢であり、且つその技術の突破のことも次々へと発展してゆく傾向が強くなってゆく。
【０００３】
従来物の構造を言うと、図１に示すように、そのような従来のカード読取装置の構造には、例えば、ＵＳＢの形式を採用する情報入出力インターフェース１１’と、コントロール・ユニット１３１’とメモリ・ユニット１３３’とプロセッサー１３５’とを有する管理システム１３’と、コンパクト・フラッシュ・カード読取装置１５１’とメモリ・スチック・カード読取装置１５３’とスマート・メディア・カード読取装置１５５’と内密デジタル・カード読取装置１５７’とを有する情報読取装置１５’と、を備え、その中では、前記の情報読取装置１５’として一般に二種の態様のものを採用してマーケットに供給し、その一つは、複数のそれぞれ異なるメモリ・カード同士を読み取れる単一のインサート・スロットを有するものであり、他の一つは、それぞれ異なるメモリ・カード同士を同時に読み取り可能な複数のインサート・スロット同士を有するものである。その中では、それぞれの読取装置は、それらと対応するメモリ・カード同士と二種類の通信インターフェースを介して読み取りとアクセスとのコントロールを実行し、例えば、前記のコンパクト・フラッシュ・カード読取装置１５１’が八本の端子を有する情報送受信インターフェース１５１１’とコントロール・インターフェース１５１３’を介してあるコンパクト・フラッシュ・カード１７１’と接続する。また、メモリ・スチック・カード読取装置１５３’が四本の端子を有する情報送受信インターフェース１５３１’とコントロール・インターフェース１５３３’を介してメモリ・スチック・カード１７３’と接続する。また、前記のスマート・メディア・カード読取装置１５５’が八本の端子を有する情報送受信インターフェース１５５１’とコントロール・インターフェース１５５３’を介してスマート・メディア・カード１７５’と接続する。また、前記の内密デジタル／マルチメディア・カード読取装置１５７’は、四本の端子を有する情報送受信インターフェース１５７１’とコントロール・インターフェース１５７３’を介して内密デジタル／マルチメディア・カード１７５’と接続されている。その中では、それぞれの情報送受信インターフェースにおける複数本の端子同士が常々構造を複雑化させ、且つコストをアップさせる原因となり、その図面に示すように、すべては二十四本の端子同士を使用して情報の送受信を実行するので、コストをアップさせることがある。また、そのため、いずれ一本の端子が変形を生じる場合に、且つ合わせて使用する態様が複数のものをひとつに整合するようなタイプのカード読取装置である場合では、そのカード読取装置の保守点検と修理が必ず時間と費用がかなりかかり、そのカード読取装置全体を廃棄するまでのことを生じる可能性もある。
【０００４】
前記のそれぞれの状況が現状であるため、カード読取装置の内部の構造を改めて配列するとともに改良をすることが目前の所要する大切な課題となっている。
【発明の開示】
【発明が解決しようとする課題】
【０００５】
そのため、本発明は、内部の構造が簡素化され、カード読取装置の故障率が減少され、故障時に、そのメンテナンス・コストを大幅に減少できる、カード読取装置構造を提供することをその主要な解決しようとする課題とする。
【０００６】
また、本発明は、カード読取装置の仕様を縮小させることによって、一般のパーソナル・コンピュータに合せて使用される場合に、その占用するスペースを減少でき、他に、ポータブル・コンピュータに合せて使用される場合に、携帯に便利になることができるようにした、カード読取装置構造を提供することをその次の解決しようとする課題とする。
【０００７】
また、本発明は、構造を簡素化することによって製造コストを降下させ、広範的にデスクトップ・タイプ・コンピュータのビルド・イン・デバイスや、独立式のＵＳＢカード読取装置やポータブル・タイプ・コンピュータのビルド・イン・カード読取装置やプリンター・ビルド・イン・カード読取装置や、家庭電気製品ビルド・インＵＳＢカード読取装置や、電子アルバムや、ポータブル製品ビルド・イン・カード読取装置や、携帯電話などに応用されることができるようにしたカード読取装置構造を提供することをその第三の解決しようとする課題とする。
【０００８】
また、本発明は、整合された構造とユニックな情報送受信経路を開発することによって単純的で速やかに情報を送受信可能にすることを特徴とする、カード読取装置の情報送受信方法を提供することをその第四の解決しようとする課題とする。
【課題を解決するための手段】
【０００９】
前記のそれぞれの目的を図るために、本発明は、情報をカード読取装置に対し入出力させる情報入出力インターフェースと、情報の入出力を制御及び管理する管理システムと、少なくとも一種類のメモリ装置が接続でき、前記のメモリ装置に対する情報の入出力のことに対しアクセス・コントロールを実行するための少なくとも一つの情報読取装置と、前記の情報の前記のメモリ装置に対する入出力の場合に情報をアクセスする経路を提供する少なくとも一つの情報シェア・コントロール装置と、を備えており、その中では、情報入出力インターフェースとコンピュータ・システムとリンクする場合に、且つメモリ装置と情報読取装置と情報シェア・コントロール装置とリンクする場合に、前記の管理システムと前記のコンピュータ・システムとが相互にメモリ装置に対し入出力する情報を検出及びコントロールし、且つそれらの入出力される情報が前記の情報シェア・コントロール装置の提供する経路より入出力されるように設定された、カード読取装置構造及び情報の送受信方法を提供する。
【００１０】
本発明の目的とその特徴とその効果性を明らかにさせるために、以下に具体的な実施の形態を挙げて図面を合せて説明を実行することによって、本発明を詳細的に説明する。
【発明を実施するための最良の形態】
【００１１】
図２に示すのは、本発明の内部構造を示す説明図であり、本発明は、一種のカード読取装置を提供し、そのものには、情報入出力インターフェース１１を有し、情報のカード読取装置に対する入出力のことに経路を提供し、当該情報入出力装置１１として、例えば、ＵＳＢや、１３９４や、ＲＳ２３２や、ＣＯＭポートや、パラレル・ポートや、ＰＳ２や、ＰＣＭＣＩＡや、８０２．１１シリーズや、ブルー・ツースや、赤外線などのシステムを好適に採用でき、多様化した送受信機能を実現する。また、本発明には、管理システム１３を有し、情報の入出力をコントロール及び管理するものであり、その管理システム１３には、コントロール・ユニット１３１と、メモリ装置１３３と、プロセッサー１３５とを備え、それらによって前記の機能を発揮する。また、本発明には情報読取装置１５を有し、それには、少なくとも一種類のメモリ装置を接続でき、前記メモリ装置に対する情報のアクセス・コントロールを実行でき、その情報読取装置１５としてメモリカードアクセス装置、例えば、メモリ・カード・インサート・スロットからなるものであり、且つ単純なコントロール・サーキットを介して前記のメモリ装置とコントロール・コマンドの受発行を実行でき、且つ前記のメモリ・カード・インサート・スロットとして例えば複数のものを一つに整合した式のメモリ・インサート・スロットや、複数個のメモリ・インサート・スロットなどのいずれ一種の形態を採用でき、且つ前記のメモリ装置として、コンパクト・フラッシュ・カードや、ＩＢＭマイクロ・ドライブや、スマート・メディア・カードや、ｘＤ−ピクチャー・カードや、マルチメディア・カードや、内密デジタル・カードや、メモリ・スチック・カードや、メモリ・スチック・プロ・カードなどのいずれ一種を好適に使用することができる。図に示すように、情報読取装置１５には、メモリ・カード読取装置１５１と、メモリ・カード読み取り装置１５３や、メモリ・カード読取装置１５５や、メモリカード読取装置１５７などを備えており、それらは、それぞれコントロール・サーキット１５１３とコントロール・サーキット１５３３とコントロール・サーキット１５５３とコントロール・サーキット１５７３とメモリ装置１７１とメモリ装置１７３とメモリ装置１７５とメモリ装置１７７とを経過し、それらのメモリ装置が前記の情報読取装置１５にリンクされる場合に、コントロールを実行する。また、本発明には情報シェア・コントロール装置１９を有し、情報がメモリ装置より入出力する場合に、情報のアクセスの経路を提供する。その情報シェア・コントロール装置１９が単純的で整合された情報送受信サーキット１９１を介してそれぞれのメモリ装置と情報の送受信を実行し、また、前記の情報送受信サーキット１９１が八本の端子しか有しない。言い換えれば、情報入出力インターフェース１１とコンピュータ・システム（図示しない）、例えば、一般のコンピュータや情報記憶装置などとリンクする場合に、且ついずれ一つまたは複数のメモリ装置と情報読取装置１５と情報シェア・コントロール装置１９とリンクする場合に、前記の管理システム１３と前記のコンピュータシステムとが相互に合作して情報装置に対し入出力される情報を検出及びコントロールし、且つ入出力される情報が前記の情報シェア・コントロール装置１９の提供する経路を介して進出し、即ち、情報送受信サーキット１９１を介して送受信する。そのため、このような設計の整合によると、その情報送受信サーキット１９１には少なくとも八本の端子を有し、従来の２４本のこのより少なくなっているので、そのコストとそのメンテナンスの面から検討する場合では、コスト人工とを大幅に減少できる。
【００１２】
図３に示すのは、本発明の情報の送受信のフローチャートであり、その方法には、
ステップ（１）：スタートすることと、
ステップ（２）：カード読取装置を初期化し、即ち、カード読取装置内の情報入出力インターフェース１１とコンピュータシステムと接続することと、
ステップ（３）：そのコンピュータシステムと前記のカード読取装置内の管理システム１３と共同で作業し、カード読取装置１５内のいずれ一つのメモリカード読取装置１５１やメモリカード読取装置１５３やメモリカード読取装置１５５やメモリカード読取装置１５７や他の複数の少なくとも一つのメモリ装置、例えば、いずれ一つのメモリ装置１７１やメモリ装置１７３やメモリ装置１７５やメモリ装置１７７や他の複数個の装置とを検出し、検出した場合（Ｙの場合）ステップ（４）へ進め、検出しない場合（Ｎの場合）ステップ（２）へ戻ることと、
ステップ（４）前記のカード読取装置とメモリ装置とリンクし、即ち、メモリ装置１７１（ここでは一つのメモリ装置をリンクすることを例として説明する）が同時にカード読取装置内の前記の情報読取装置１５内のメモリカード読取装置１５１とカード読取装置内の他の情報シェア・コントロール装置１９とリンクすることと、
ステップ（５）前記のカード読取装置１７１を判読し、且つそれぞれ情報のメモリ装置１７１に対する入出力のコントロールと情報のメモリ装置１７１に対する唯一の送受信を実行し、即ち、前記のコンピュータシステムとカード読取装置内の管理システム１３と共同で作業し、情報読取装置１５と前記のメモリ装置１７１とリンクするコントロール・サーキット１５１３を介して前記の情報シェア・コントロール装置１９とメモリ装置１７１とリンクする情報送受信サーキット１９１を介してメモリ装置１７１が何の種類のメモリ装置であるかのことを判断し、情報の送受信に用意することと、
ステップ（６）情報がメモリ装置１７１に対し入出力し、且つ前記のコントロール・サーキット１５１３にコントロールされ、且つ情報送受信サーキット１９１より情報シェア・コントロール装置１９を介して唯一の情報送受信経路を形成することと、
ステップ（７）エンドすることとを有している。  
【００１３】
前記の情報入出力インターフェース１１として、ＵＳＢや、１３９４や、ＲＳ２３２や、ＣＯＭポートや、パラレル・ポートや、ＰＳ２や、ＰＣＭＣＩＡや、８０２．１１シリーズや、ブルー・ツースや、赤外線などのシステムを好適に採用でき、多様化した送受信機能を実現する。また、本発明には、管理システム１３を有し、情報の入出力をコントロール及び管理するものであり、その管理システム１３には、コントロール・ユニット１３１と、メモリ装置１３３と、プロセッサー１３５とを備え、それらによって前記の機能を発揮する。また、前記の情報読取装置１５としてメモリカード読取装置を好適に採用し、例えば、メモリ・カード・インサート・スロットなどのような手段を好適に採用でき、また、前記のメモリ・カード・インサート・スロットとして複数種仕様共用のメモリ・カード・インサート・スロットまたは複数個のメモリ・カード・インサート・スロット同士を好適に使用することができる。他に、前記のメモリ装置１７１，１７３，１７５，１７７として下記のようないずれの種類のものを好適に採用でき、例えば、コンパクト・フラッシュ・カードや、ＩＢＭマイクロ・ドライブや、スマート・メディア・カードや、ｘＤ−ピクチャー・カードや、マルチメディア・カードや、内密デジタル・カードや、メモリ・スチック・カードや、メモリ・スチック・プロ・カードなどのいずれ一種を好適に使用することができる。
【産業上の利用可能性】
【００１４】
前記に説明したことから分かるように、本発明によるカード読取装置及び情報の送受信方法による場合では、コントロールのことと情報の送受信のこととを分かれて処理するモードを好適に採用し、特に情報シェア・コントロール装置１９を創作し、整合的に情報の送受信を整理でき、送受信の単純性を確保する産業上の利用性を有している。
【００１５】
前記に説明したように、本発明のカード読取装置及び情報の送受信方法は、一種の整合された簡単な構造を有するカード読取装置及びその情報の送受信方法であるので、その整合後の構造が従来物よりかなり簡単的になるので、メンテナンスと製造コストを大幅に低下させることができ、他方では、その情報の送受信のことがさらにその送受信時の単純性を確保できるので、本発明は、既に特許の要件を満足するため、新規性と進歩性と産業上の高度の利用性を有するため、法に従って出願を提起するが、ご査察の上、早期に公開されるよう宜しくお願い申し上げますこと。
【図面の簡単な説明】
【００１６】
【図１】従来のカード読取装置構造を示す説明図である。
【図２】本発明の内部構造を示す説明図である。
【図３】本発明の情報の送受信の状態を示すフローチャートである。
【符号の説明】
【００１７】
１１’        情報入出力インターフェース
１３’        管理システム
１５’        情報読取装置
１３１’      コントロール・ユニット
１３３’      メモリ装置
１３５’      プロセッサー
１５１’      コンパクト・フラッシュ・カード読取装置
１５３’      メモリ・スチック・カード読取装置
１５５’      スマート・メディア・カード読取装置
１５７’      内密デジタル・カード読取装置
１７１’      コンパクト・フラッシュ・カード
１７３’      メモリ・スチック・カード
１７５’      スマート・メディア・カード
１７７’      内密デジタル／マルチメディア・カード
１５１１’    情報送受信インターフェース
１５１３’    コントロール・インターフェース
１５３１’    情報送受信インターフェース
１５３３’    コントロール・インターフェース
１５５１’    情報送受信インターフェース
１５５３’    コントロール・インターフェース
１５７１’    情報送受信インターフェース
１５７３’    コントロール・インターフェース
１１          情報入出力インターフェース
１３          管理システム
１５          情報読取装置
１９          情報シェア・コントロール装置
１３１        コントロール・ユニット
１３３        メモリ装置
１３５        プロセッサー
１５１        メモリカード読取装置
１５３        メモリカード読取装置
１５５        メモリカード読取装置
１５７        メモリカード読取装置
１７１        メモリ装置
１７３        メモリ装置
１７５        メモリ装置
１７７        メモリ装置
１９１        情報送受信サーキット
１５１３      コントロール・サーキット
１５３３      コントロール・サーキット
１５５３      コントロール・サーキット
１５７３      コントロール・サーキット
【図１】
2006040187.tif 000003
【図２】
2006040187.tif 000004
【図３】
2006040187.tif 000005